(57)【要約】【課題】可動フードのズレ動きを抑制して、品質の向上を図ることのできるリールシートを提供する。【解決手段】可動フード５内にリール脚を押さえ保持する脚押さえ体５Ｂを装着し、脚押さえ体５Ｂにシートベース２の外周面とフード本体５Ａの内周面との間で挟み込み固定される袴部５ｈを設け、シートベース２の外周面に上向きの元側傾斜凹入面２ｆとを設け、この袴部５ｈと元側傾斜凹入面２ｆとで可動フード５の円周方向へのガタ付きを抑制すべく構成してある。【選択図】図９
2010273586.tif 000002
【特許請求の範囲】
【請求項１】
竿体の竿軸線方向に沿ってスライド移動自在な可動フードをシートベースに取り付け、前記シートベースと前記可動フードとに、前記可動フードが円周方向にズレ動くのを抑制するズレ動き抑制機構を設けてあるリールシート。
【請求項２】
前記可動フード内にリール脚を押さえ保持する脚押さえ体を装着し、前記脚押さえ体に前記シートベースの受け部に当接する当接部を設け、前記受け部と前記当接部とで前記ズレ動き抑制機構を構成してある請求項１記載のリールシート。
【請求項３】
前記シートベースにおけるリール脚載置面とは竿軸心を挟んで１８０°反対側に、竿軸線に平行なガイド溝を形成するとともに、前記可動フードに前記ガイド溝に係合する係合突起を設け、前記係合突起と前記ガイド溝との係合状態によって、前記可動ガイドを竿軸線に平行な方向でスライド移動自在に構成してある請求項１記載のリールシート。
【発明の詳細な説明】
【技術分野】
【０００１】
本発明は、可動フードを備えているリールシートに関する。
【背景技術】
【０００２】
可動フード（公報内番号：１０）は、シートベース（公報内番号：７）に外嵌される３／４円筒状のフード本体部（公報内番号：１０Ａ）と、そのフード本体部１０Ａの上方に位置しリール脚Ｒａを保持するリール脚挿入用保持部１０Ｂとを一体で構成してある。
そして、フード本体部１０Ａの内周面には、竿軸芯方向に沿った突条（公報内番号：１０ｃ）が突設されており、この突条１０ｃが雌ネジ部（公報内番号：７Ａ）に形成されたガイド溝に係合することによって、可動フード１０を竿軸芯方向にスライド移動可能に構成してある（特許文献１）。
【先行技術文献】
【特許文献】
【０００３】
【特許文献１】特開２００９−３４０３５号公報（段落〔００３５〕〔００３６〕，図６）
【発明の概要】
【発明が解決しようとする課題】
【０００４】
上記したような構成によって、可動フードは竿の円周方向に傾くことなく、竿軸線方向に沿ってスライド移動し、リール脚に対する適正な保持位置を確保して、リール脚を保持するものである。
しかし、突条とガイド溝との係合状態は、可動フードの円滑なスライド移動を確保する為に、緩やかな係合状態を呈するものであり、かつ、フード本体部自体が成形型を利用した型成形品である為に、可動フードが円周方向においてズレ動き（ガタ付き）を生ずることは否めなかった。
そうすると、リール脚を保持するために可動フードをナット部材で移動させる釣り人の感触が不満足なものとなり、リールシートとしての品質の低下を招来していた。
【０００５】
本発明の目的は、可動フードのズレ動きを抑制して、品質の向上を図ることのできるリールシートを提供する点にある。
【課題を解決するための手段】
【０００６】
〔構成〕
請求項１に係る発明の特徴構成は、竿体の竿軸線方向に沿ってスライド移動自在な可動フードをシートベースに取り付け、前記シートベースと前記可動フードとに、前記可動フードが円周方向にズレ動きするのを抑制するズレ動き抑制機構を設けてある点にあり、その作用効果は次の通りである。
【０００７】
〔作用効果〕
ズレ動き抑制機構を、シートベースと可動フードとに設けたので、可動フードが円周方向にズレ動きをしようとしても、シートベースによって受け止められて、ズレ動きが抑制される。
このように、ズレ動き抑制機構を構成することによって、可動フードをズレ動き（ガタツキ）なく、リール脚を保持するために操作することができ、操作感が良好である。
【０００８】
〔構成〕
請求項２に係る発明の特徴構成は、前記可動フード内にリール脚を押さえ保持する脚押さえ体を装着し、前記脚押さえ体に前記シートベースの受け部に当接する当接部を設け、前記受け部と前記当接部とで前記ズレ動き抑制機構を構成してある点にあり、その作用効果は次の通りである。
【０００９】
〔作用効果〕
リール脚を押さえ保持するものとして脚押さえ体を可動フード内に設け、この脚押さえ体にシートベースの受け部に当接する当接部を形成してズレ動き抑制機構を構成し、可動フードのズレ動きを抑制している。
このように、リール脚を押さえ保持するものとして導入された脚押さえ体をズレ動き抑制機構に兼用することによって、可動フード自体にズレ動きを抑制する機構を設ける必要はなく、可動フード自体は製造方法等を変更する必要はない。しかも、脚押さえ体をズレ動き抑制機構に兼用することによって専用の機構を採用する必要がなく、機器構成の簡素化を図ることができる。
【００１０】
〔構成〕
請求項３に係る発明の特徴構成は、前記シートベースにおけるリール脚載置面とは竿軸心を挟んで１８０°反対側に、竿軸線に平行なガイド溝を形成するとともに、前記可動フードに前記ガイド溝に係合する係合突起を設け、前記係合突起と前記ガイド溝との係合状態によって、前記可動ガイドを竿軸線に平行な方向でスライド移動自在に構成してある点にあり、その作用効果は次の通りである。
【００１１】
〔作用効果〕
可動ガイドの円周方向でのズレ動きを抑制する機構を設けることによって、可動ガイドを竿軸線に沿って移動させる構成としてあるので、ガイド溝と係合突起との係合状態に、可動フードのズレ動きを抑制する機能までを付加する必要がないので、ガイド溝と係合突起とに大きな機構の変更を加える必要がない。
【図面の簡単な説明】
【００１２】
【図１】釣り竿を示す全体側面図である。
【図２】グリップ被覆体と可動フードをシートベースに取り付ける前の状態を示す  分解斜視図である。
【図３】シートベースに可動フードを取り付ける前の状態を示す分解斜視図である  。
【図４】シートベースに可動フード、グリップ被覆体を装着した状態を示す斜視図  である。
【図５】グリップ被覆体と可動フードをシートベースに取り付ける前の状態を示す  分解側面図である。
【図６】（ａ）シートベースに可動フード、グリップ被覆体を装着したリールシー  トを示す平面図、（ｂ）シートベースに可動フード、グリップ被覆体を装着したリール  シートを示す側面図である。
【図７】グリップ被覆体と可動フードをシートベースに取り付ける前の状態を示す  分解縦断側面図である。
【図８】シートベースに可動フード、グリップ被覆体を装着したリールシートを示  す縦断側面図である。
【図９】可動フードをシートベースに装着した状態を示す縦断正面図である。
【図１０】シートベースのリール脚の元側足部を載置する元側載置面とは１８０°  反対側の表面に、可動フードとの干渉を回避する為の凹入部を形成した状態を示す縦断  側面図である。
【発明を実施するための形態】
【００１３】
〔第１実施形態〕
本発明を釣り竿Ａに適用する形態について説明する。
釣り竿Ａは、図１〜４に示すように、握り部を備えた竿体としての元竿１に、スピンニングリール１０を取り付ける筒状リールシートＢを装着し、筒状リールシートＢのシートベース２に可動フード５を取り付けて、構成してある。
【００１４】
シートベース２には、可動フード５と協働でスピニングリール１０のリール脚１０Ａの先端において竿先側に屈曲形成されている先側足部１０ａを保持する固定フード３が一体形成されており、固定フード３の形成部位より後方側に可動フード５を螺着する雌ねじ部４が設けてある。
図４，８，９に示すように、可動フード５には、リール脚１０Ａの先端において竿元側に屈曲形成されている元側足部１０ａを保持するフード本体５Ａと、フード本体５Ａ内に装着されている樹脂製の脚押さえ体５Ｂと、フード本体５Ａを竿軸線Ｘ方向に螺進移動さ
せるナット体７とが装備されている。
【００１５】
シートベース２について説明する。
図５に示すように、シートベース２は、ポリエステル、ＡＢＳ、ＰＥＴ等のエンジニアリング樹脂を使用した筒状体である。前記したように、竿先半部に外向きに盛り上がっている固定フード３を形成してあり、固定フード３のフード内部に入り込む状態で先側載置面２Ａを形成してある。この先側載置面２Ａでリール脚１０Ａの先端において竿元側に屈曲形成されている先側足部１０ａを載置支持すべく構成してある。
先側載置面２Ａの竿元側に、位置決め用の環状鍔２Ｃが設けてあり、環状鍔２Ｃの更に竿元側に、可動フード５内に入り込む元側載置面２Ｂを形成してある。元側載置面２Ｂでリール脚１０Ａの先端において竿元側に屈曲形成されている元側足部１０ａを載置支持すべく構成してある。
【００１６】
環状鍔２Ｃは、図２及び図５に示すように、元側載置面２Ｂの両横側方に幾分張り出した状態から略シートベース２の周面に沿って周回する状態で巡らされている。環状鍔２Ｃより竿先側には、環状鍔２Ｃから竿先側に向けて、後記するグリップ被覆体としてのゴムグリップ６の取付座２Ｄが形成してある。取付座２Ｄは、環状鍔２Ｃより一段凹入する面に形成してあり、図４及び図６に示すように、ゴムグリップ６をこの取付座２Ｄに装着した際に、ゴムグリップ６の外周面と環状鍔２Ｃの外周縁とを面一状態に設定して、高さを揃えるように形成してある。
【００１７】
図２及び図５に示すように、固定フード３は、取付座２Ｄより一段突出する状態に外面３Ａが形成してあり、固定フード３の外面３Ａも、ゴムグリップ６を取付座２Ｄに装着した状態で、そのゴムグリップ６の外面と面一状態となるように構成してある。
取付座２Ｄにおける固定フード３の存在側とは反対側の面と固定フード３の横側方側の面には、シートベース２の軸線方向に沿った突条２ａが形成してあり、この突条２ａが取付座２Ｄに装着したゴムグリップ６の内周面に形成した後記する長溝６ｅに係合して、ゴムグリップ６の捲れ上がりを抑制する構成を採っている。
【００１８】
先側載置面２Ａと元側載置面２Ｂとの間にも、一段凹入する面としての繋ぎ部分２ｃが形成してあり、取付座２Ｄの他の部分と段差の無い状態に連なっており、先側載置面２Ａと元側載置面２Ｂとの間の繋ぎ部分２ｃも取付座２Ｄの一部を形成する。後記するゴムグリップ６を取付座２Ｄに装着した状態で、ゴムグリップ６の外面と、先側載置面２Ａ及び元側載置面２Ｂとが面一状態となるように構成してある。
【００１９】
シートベース２におけるリール脚１０Ａの先側足部１０ａと元側足部１０ａを載置する部位について詳述する。図２及び図４〜図８に示すように、先側載置面２Ａは断面形状としては前記したように、円弧状を呈する形状を採っているが、図６に示すように平面視では、竿元側に向う程、徐々に、左右方向での横幅を狭める形状を呈している。
一方、元側載置面２Ｂは略一定の広い横幅を呈し、竿元側端部において左右方向での横幅を狭める形状を呈している。図６に示すように、先側載置面２Ａと元側載置面２Ｂとの間でゴムグリップ６の取付座２Ｄの一部を形成する繋ぎ部分２ｃにおいては、先側載置面２Ａの竿元側端の横幅Ｌ１と元側載置面２Ｂの竿先側端の横幅Ｌ２とに連続的に繋がるような横幅を呈している。
【００２０】
先側載置面２Ａの両横側方には、皿状の左右の先側傾斜凹入面２ｅを形成してあり、この皿状の左右の先側傾斜凹入面２ｅは、竿軸芯方向に向けて僅かに凹入する形状に形成してあり、かつ、左右の先側傾斜凹入面２ｅにおける先側載置面２Ａ側に位置する端部ほど左右の間隔を狭める上向きの傾斜状態に形成してある。元側載置面２Ｂの両横側方にも、同じように、上向きの元側傾斜凹入面２ｆを形成してあり、更に、取付座２Ｄにおいて繋ぎ部分２ｃ以外の周面部分は、取付座２Ｄの一部を構成する円弧状面２ｇに形成してある。円弧状面２ｇは、取付座２Ｄの一部を構成する部分であるので、竿先側に位置する斜め上向き先側傾斜凹入面２ｅと竿元側に位置する斜め上向きの元側傾斜凹入面２ｆよりも、ゴムグリップ６の厚みに相当するだけの深さで凹入形成されている。
【００２１】
次に、ゴムグリップ６について説明する。図２及び図４〜図８に示すように、ゴムグリップ６は、ＮＢＲ等のゴムを材料とした筒状体であり、取付座２Ｄに装着した状態で固定フード３をゴムグリップ６より突出させるように、楕円状の抜き孔６Ａが形成してある。
【００２２】
ゴムグリップ６における抜き孔６Ａより竿先側の部分６Ｃは、竿先側の開口部６ｂに近接する程小径化する緩円錐筒状に形成してある。一方、ゴムグリップ６の竿元側にも筒状の竿元側の部分６Ｄが形成してあり、竿元側の部分６Ｄにはゴムグリップ６の竿元側に円弧状を呈する載置面部６ｃと、その載置面部６ｃの両横側方側に竿軸芯方向に向けて凹入する状態で、かつ、載置面部６ｃ側に位置する端部ほど互いの左右間隔を狭めるように上向き傾斜状態にある皿状の左右の中間傾斜凹入面部６ｄが形成してある。
中間傾斜凹入面部６ｄによって、ゴムグリップ６を所定位置に装着した際に、シートベース２に形成された斜め上向き傾斜凹入面２ｅとゴムグリップ６の斜め上向き傾斜面６ｄとが段差無く繋がることとなっている。
【００２３】
図５〜図８に示すように、抜き孔６Ａの存在側とは１８０°反対側には、他の部分よりやや外方に膨出する膨出部６Ｂが設けてあり、この膨出部６Ｂに宛がわれる手指が滑り難いように、表面加工が施してある。つまり、表面の滑りを抑制するために、細かい凹凸を形成する梨地加工が施してある。
この膨出部６Ｂの内周面には、抜き孔６Ａの存在側とは１８０°反対側及び左右の両側面の３箇所に、竿軸線Ｘ方向に沿った細幅の長溝６ｅが形成してあり、ゴムグリップ６を
シートベース２に装着した際に、シートベース２に突出形成した突条２ａに細幅の長溝６ｅが外嵌係合して、ゴムグリップ６の位置決めを行うとともにゴムグリップ６の捲れ上がりを抑制する構成を採っている。
【００２４】
以上のような構成になるゴムグリップ６を、図４に示すように、竿元側開口６ａから取付座２Ｄに外嵌装着すると、ゴムグリップ６の外面が固定フード３の外面３Ａと面一状態に、かつ、竿元側開口６ａを囲む外縁が環状鍔２Ｃに当接し、ゴムグリップ６の外面が環状鍔２Ｃの外面と面一状態に連なる。
【００２５】
図４及び図６に示すように、ゴムグリップ６を取付座２Ｄに装着した状態で、先側載置面２Ａと、元側載置面２Ｂと、ゴムグリップ６における載置面部６ｃとを、竿軸線Ｘに沿
った方向で連続する足部載置面に形成する。図６（ａ）に示すように、足部載置面の横幅を、竿軸線Ｘに沿った方向で中間に位置する部分の横幅ほど絞り込んで狭くなるように形
成してある。
【００２６】
先側載置面２Ａ、元側載置面２Ｂの両横側方に位置する部分を円弧面に形成するのではなく、前記した先側傾斜凹入面２ｅとして上向きの傾斜面に形成することによって、その両側方に対応する部分の外径を小さくでき、かつ、足部載置面の竿軸線に沿った方向で中間に位置する部分の横幅ほど絞り込んで狭くなるように形成したので、シートベース２に取付られたリール脚１０Ａの先側足部１０ａ、及び、元側足部１０ａをそのシートベース２とともに握り込む際に握り易い。
しかも、後記するように、ゴムグリップ６を円弧状面２ｇに装着した際に、ゴムグリップ６に形成した中間傾斜凹入面６ｄが、竿先側に位置する斜め上向きの先側傾斜凹入面２ｅと段差なく連続する状態となるので、手指や掌を圧迫することが少なく、仕掛けの打ち込みや魚の釣り上げ操作を行う場合に、手が痛くならず負担も少ない。
【００２７】
可動フード５について説明する。図２〜図９に示すように、可動フード５は、アルミニュウムやチタン等の軽量金属製のフード本体５Ａと、そのフード本体５Ａのリール脚挿入用保持部５ａに内装されるゴム製または合成樹脂製の脚押さえ体５Ｂとを装備している。
脚押さえ体５Ｂは、リール脚挿入用保持部５ａに内装されるように、略円弧状を呈するものであり、フード本体５Ａの竿先側端に鍔部５ｂを突出させるとともに、左右中央部に突起５ｃを設け、この突起５ｃをフード本体５Ａの天井部分に形成した抜き孔５ｄ内に嵌合させて、脚押さえ体５Ｂの位置決めを行っている。
【００２８】
フード本体５Ａは、図９に示すように、断面形状として、シートベース２に外嵌する略４分の３円弧状を呈する部分とアーチ状を呈するリール脚挿入用保持部５ａとを一体形成した縦長い楕円状を呈するものであり、成形型で一体形成される。
フード本体５Ａは、前記したように、成形型で一体形成されるものであるために、従来は、シートベース２の外周面に密着する程高い成型性を示してはいないので、フード本体５Ａを所定位置に装着した状態で、円周方向でのガタ付きが出ることは否めなかった。
【００２９】
そこで、ズレ動き抑制機構Ｃを設けてそのガタ付きを抑制することとした。ここでは、まず、フード本体５Ａと脚押さえ体５Ｂとの取り付け構造について説明しその後ズレ動き抑制機構Ｃについて説明する。
つまり、図９に示すように、フード本体５Ａにおける略４分の３円弧状を呈する部分とアーチ状を呈するリール脚挿入用保持部５ａとの接続部位近傍には、上向き段差部５ｅが設けてある。
一方、脚押さえ体５Ｂには、左右の両下端部近傍の外面に下向き段差部５ｇが形成してある。脚押さえ体５Ｂをフード本体５Ａのリール脚挿入用保持部５ａ内に挿入した際に、脚押さえ体５Ｂの下向き段差部５ｇがフード本体５Ａの上向き段差部５ｅに上方から当接して、脚押さえ体５Ｂが装着支持される。
【００３０】
脚押さえ体５Ｂの左右両側下端部には、厚さの薄い袴部５ｈが下方に向けて延出してあり、袴部５ｈは下方に向って徐々に厚みを薄くする構成を採っている。一方、シートベース２の袴部５ｈに対応する外面は、前記したように、上向きに凹入傾斜する皿状の元側傾斜凹入面２ｆが形成してある。そして、袴部５ｈが元側凹入面２ｆに接触し受止られることによって、袴部５ｈの下端部をフード本体５Ａとシートベース２の外周面とで挟み込み固定するように構成してある。
【００３１】
ここに、袴部５ｈを当接部と称する。元側傾斜凹入面２ｆを受け部と称する。
このような袴部（当接部）５ｈと元側傾斜凹入面（受け部）２ｆとで、ズレ動き抑制機構Ｃを構成してある。
このような構成によって、可動フード５が脚押さえ体５Ｂとともに、円周方向へ回転しようとしても、袴部５ｈの下端部がフード本体５Ａとシートベース２の外周面とで挟み込み固定されて回転が抑制される。したがって、可動フード５の円周方向でのガタ付きが抑制され、筒状リールシートＢを握る手指が安定する。
【００３２】
このように、金属製のフード本体５Ａではなく、樹脂製またはゴム製の脚押さえ体５Ｂに袴部５ｈを形成することによって、ズレ動き抑制機構Ｃを構成した。したがって、フード本体５Ａとシートベース２の外周面とが多少の固体誤差を持って形成された場合にも、脚押さえ体５Ｂの樹脂またはゴムの弾性変形力によって、袴部５ｈの下端部をフード本体５Ａとシートベース２の外周面とで挟み込み固定する状態が確実に維持されて、良好なズレ動き抑制機能を発揮するズレ動き抑制機構Ｃが構成される。
【００３３】
図２〜図６に示すように、可動フード５のフード本体５Ａは、リール脚１０Ａを保持するリール脚挿入用保持部５ａから竿元側に向けて外径が細くなる中間縮径部５ｊを形成してあり、中間縮径部５ｊより竿元側に中間縮径部５ｊの外径より大径の受止部５ｋを形成してある。
【００３４】
以上のような構成により、リール脚１０Ａと筒状リールシートＢとを共握りして釣り動作を行う場合に、手の掌がゴムグリップ６の膨出部６Ｂに掛って竿先側への移動が抑制される状態にあり、小指が可動フード５の中間縮径部５ｊに掛って受止部５ｋによって竿元側への移動が抑制されており、握りの状態が安定する構成となっている。
【００３５】
図２〜図６に示すように、ゴムグリップ６を受け止める環状鍔２Ｃは、元側載置面２Ｂを除く全周面に亘って巡らされており、元側載置面２Ｂ存在側とは１８０°反対側に至る程、竿元側に偏位するように形成されている。このような構成によって、環状鍔２Ｃに当接して位置決めされるゴムグリップ６の竿元側端は、元側載置面２Ｂ存在側とは１８０°反対側において、竿元側に入り込んで位置することとなる。つまり、図５及び図６に示すように、環状鍔２Ｃの竿先端側において想定した基準線Ｙよりも、ゴムグリップ６の竿元側端は、竿元側に延出されている。
【００３６】
しかも、可動フード５においても、図５及び図７に示すように、フード本体５Ａの竿先側端５Ｃの開口縁の側面視形状は、リール脚挿入保持部５ａを形成する上半部５ｆとシートベース２に外嵌される下半部５ｐとの中間位置に対応する部分が、最も竿先側に突出する形状に形成してある。下半部５ｐでは、環状鍔２Ｃに沿うように、リール脚挿入保持部５ａの存在側とは１８０°反対側に至る程、フード本体５Ａの竿先側端５Ｃの開口縁の側面視形状が竿元側に偏位する状態に形成されている。
【００３７】
したがって、環状鍔２Ｃと可動フード５とが共にリール脚載置側とは１８０°反対側の面において竿元側に偏位した形状を呈するので、前記した基準線Ｙよりも竿元側において、ゴムグリップ６が竿元側に入り込んで露出する状態にある。
このような構成によって、リール脚１０Ａをシートベース２と共に握った手指における親指部分がゴムグリップ６に当てがわれることとなって、圧迫感を感じることが少ない。
【００３８】
なお、図１及び図４に示すように、可動フード５は、環状鍔２Ｃに当接することによって、固定フード３の存在側への移動が規制されている。つまり、可動フード５のリール脚挿入用保持部５ａに装着された脚押さえ体５Ｂの左右両側端が、環状鍔２Ｃの上端に当接するとともに、フード本体５Ａの竿先側端５Ｃも環状鍔２Ｃに当接して、固定フード３側への移動が規制される。
このような構成によって、可動フード５の外周面と環状鍔２Ｃとゴムグリップ６の外周面とが略面一状態に連なることとなり、その部分を握る手に圧迫感を与えることが少ない。
【００３９】
図３及び図７〜図９に示すように、可動フード５のリール脚挿入用保持部５ａとは１８０°反対側には、内向きに突出する係合突起５ｎが設けてあり、シートベース２の竿元端に設けてある雌ネジ部４に形成したガイド溝４ａに係合突起５ｎを係合させることによって、可動フード５をナット体７の回転によって、シートベース２の軸線方向に沿ってスライド移動可能に構成してある。
【００４０】
図３、図５及び図７に示すように、シートベース２における元側載置面２Ｂ存在側とは竿軸芯Ｘを挟んで反対側には、竿軸芯Ｘに向って凹入する凹入部２ｄを形成してある。
凹入部２ｄは、ガイド溝４ａの竿先端と環状鍔２Ｃとの間において、円周方向での横幅が略３０°位に亘る範囲に凹入形成されている。尚、凹入部２ｄとしては、可動フード５との干渉を回避する範囲で、円周方向での横幅を３０°〜９０°に至る範囲で採っても良い。
【００４１】
このような凹入部２ｄを設けた理由は次のようなものである。
つまり、リール脚１０Ａを保持すべく、可動フード５がナット体７とともに移動すると、脚押さえ体５Ｂがリール脚１０Ａの元側足部１０ａの甲部分に形成された傾斜面１０ｂに乗り上る状態になるので、可動フード５は、リール脚１０Ａの元側足部１０ａによって持ち上げられたような状態となり、シートベース２に対して偏芯した状態となる。
【００４２】
そうすると、可動フード５のフード本体５Ａにおける固定フード３側に向う開口縁において、リール脚挿入用保持部５ａとは反対側の端縁がシートベース２の外周面に食い込むような状態になる。
【００４３】
シートベース２の表面には、ウレタン樹脂塗料やエポキシ樹脂塗料等の適宜塗料が選択されて、刷毛や吹き付けによって塗装されている。
そうすると、前記反対側の端縁がシートベース２の外周面に食い込むような状態になると、塗装面が剥がれる等の不具合が起こり得る。
そこで、前記したように凹入部２ｄを形成してあるので、可動フード５の反対側端縁がシートベース２の外周面に食い込むことが抑制されて、塗料が剥がれる等の不具合を抑制することができる。
【００４４】
〔第１実施形態における別実施形態〕
（１）  ズレ動き抑制機構Ｃを脚押さえ体５Ｂの袴部５ｈに設けて構成したが、脚押さえ体５Ｂの代わりに、フード本体５Ａに袴部５ｈに相当するものを形成してもよい。
（２）  可動フード５の竿軸線Ｘ方向へのスライド移動をガイドする、ガイド溝４ａと係合突起５ｎとの関係を、従来より密着性の高いもの構成し、可動フード５の円周方向でのズレ動き（ガタツキ）を抑制すべく、ガイド溝４ａと係合突起５ｎとをズレ動き抑制機構Ｃに兼用構成してもよい。
【００４５】
〔第２実施形態〕
第１実施形態の内、シートベース２に環状鍔２Ｃを形成していない実施形態のものを第２実施形態とする。したがって、環状鍔２Ｃの存在しない部分はシートベース２の他の外周面と面一状態となる。
【００４６】
〔第３実施形態〕
第１実施形態の内、シートベース２にゴムグリップ６を装着していない実施形態のものを第３実施形態とする。従って、シートベース２に形成したゴムグリップ６を装着する為の取付座２Ｄはなく、シートベース２の外面は固定ガイド３の外面と面一状態で形成される。
【００４７】
〔第４実施形態〕
第１実施形態の内、シートベース２に可動フード５との干渉を回避する為の凹入部２ｄを設けない実施形態のものを第４実施形態とする。凹入部２ｄを形成しない部分は、シートベース２における外周面の他の部分と面一状態に形成する。
【００４８】
〔第５実施形態〕
第１実施形態の内、シートベース２には先側傾斜凹入面２ｅと元側傾斜凹入面２ｆとを形成していない実施形態のものを第５実施形態とする。従って、シートベース２の先側載置面２Ａと元側載置面２Ｂの両横側方には、傾斜面ではなく、円弧面を形成してもよい。
【００４９】
〔第６実施形態〕
第１実施形態の内、ゴムグリップ６の膨出部６Ｂと可動フード５の中間縮径部５ｊと受止部５ｋとを形成していない実施形態のものを第６実施形態とする。したがって、ゴムグリップ６では、膨出部６Ｂを形成せずに外周面を一定の外径を呈するものに形成し、可動フード５においても中間縮径部５ｊと受止部５ｋに相当する部分を一定の外径を呈する部分に構成してもよい。
【産業上の利用可能性】
【００５０】
本願発明は、筒状リールシートＢを装備する磯竿、船竿等に適用することができる。
【符号の説明】
【００５１】
２            シートベース
２ｆ          元側傾斜凹入面（受け部）
５            可動フード
５Ａ          フード本体
５Ｂ          脚押さえ体
５ｈ          袴部（当接部）
Ｃ            ズレ動き抑制機構
Ｘ            竿軸線
【図１】
2010273586.tif 000003
【図２】
2010273586.tif 000004
【図３】
2010273586.tif 000005
【図４】
2010273586.tif 000006
【図５】
2010273586.tif 000007
【図６】
2010273586.tif 000008
【図７】
2010273586.tif 000009
【図８】
2010273586.tif 000010
【図９】
2010273586.tif 000011
【図１０】
2010273586.tif 000012